(57)【特許請求の範囲】
【請求項１】
押圧操作を受ける押釦部の表面部に、裏面側に配設される複数の光源からの光が照射されて発光する複数の機能表示部が設けられたスイッチ用部材であって、前記複数の光源から発せられた個別の光が、互いに対応関係にある前記機能表示部を照射すると共に、前記複数の機能表示部の隣り合う機能表示部同士の間に遮蔽壁を形成して、他の対応関係にない機能表示部への照射を前記遮蔽壁にて防止するようにした照射防止手段と、スイッチ機能を果たす可動接点とを、前記押釦部の底面に一体に設けた押釦スイッチ用部材において、前記遮蔽壁の先端に可動接点を設けたことを特徴とする押釦スイッチ用部材。
【請求項２】
前記照射防止手段は、前記押釦部の底面部にレンズ部を設け、該レンズ部にて前記複数の光源から発せられた個別の光が、互いに対応関係にある前記機能表示部を照射し、他の対応関係にない機能表示部への照射を防止するように構成されたことを特徴とする請求項１記載の押釦スイッチ用部材。
【請求項３】
前記照射防止手段は、前記押釦部の底面部に複数の遮光ルーバを並べて配設し、該遮光ルーバにて前記複数の光源から発せられた個別の光が、互いに対応関係にある前記機能表示部を照射し、他の対応関係にない機能表示部への照射を防止するようにしたことを特徴とする請求項１記載の押釦スイッチ用部材。
【請求項４】
前記照射防止手段は、前記押釦部の底面部に一方向のみ照射できる導光部材を埋設し、該導光部材にて前記複数の光源から発せられた個別の光が、互いに対応関係にある前記機能表示部を照射し、他の対応関係にない機能表示部への照射を防止するように構成されたことを特徴とする請求項１記載の押釦スイッチ用部材。
【発明の詳細な説明】
【０００１】
【発明の属する技術分野】
この発明は、建設機器、工業用操作パネル、自動車用スイッチなどの各種スイッチにおいて、スイッチの作動状態を容易に確認できるようにした押釦スイッチ用部材に関するものである。
【０００２】
【従来の技術】
従来から、スイッチのＯＮ／ＯＦＦ状態を確認する方法には、大きく分けて２つの方法がある。
【０００３】
一つは、スイッチを押し下げたときがＯＮの状態であるとすれば、その押し下げた状態を維持する位置固定機能が働き、再びスイッチを押し下げることでその位置固定機能が解除してＯＦＦの状態である元の位置に復帰させるようにして、そのスイッチの姿勢を読み取ってＯＮとＯＦＦの状態を確認できるようにした、単なるメカニカルスイッチがある。
【０００４】
この単なるメカニカルスイッチでは、ＯＮ状態とＯＦＦ状態とで押釦部の位置の違いが１０ｍｍ程度あり、比較的ストロークが大きいので操作時の操作感覚が重くなる傾向にあるため操作がし難い場合があった。また、スイッチが離れた位置にある場合には、１０ｍｍ程度のスイッチの高さの変化を目視で確認しづらく、ＯＮ／ＯＦＦの状態を見誤ることもあった。
【０００５】
もう一つは、スイッチのＯＮの状態に当該スイッチの全体もしくは一部分から着色光を発するようにしＯＦＦの状態ではその明かりが消えるようにして、スイッチの押釦部に設けられたＬＥＤ用のレンズ部に明かりが点灯していればスイッチがＯＮの状態にあることを確認できるようにしたものがある。
【０００６】
具体的には、第１１図に示したように、樹脂製の押釦部１と、その一部であるポジショニング用のＬＥＤレンズ部２とそのスイッチの機能を示す文字部３とを独立して照光させるための遮蔽部４と、スイッチ機能を持つメカニカルスイッチ５と、押釦が上下動する際の案内とその保持を担う押釦保持部６とから構成されている。
【０００７】
このＬＥＤレンズ部２と文字部３とが光るようにしたスイッチでは、１つの押釦にそのスイッチの位置を表示するポジションライトを照光する機能の他、そのスイッチに対応した機能部品の動作がＯＮ又はＯＦＦの状態を着色光の点滅により表示する機能を持たせており、このような１つの押釦に複数の機能表示を可能とする押釦スイッチにあっては、スイッチの姿勢を確認するメカニカルスイッチの欠点であった操作性と視認性の悪さが改善されているので、近年いろいろな分野で採用されてきている。
【０００８】
【発明が解決しようとする課題】
この１つの押釦に複数の機能表示を可能とする押釦スイッチにあっては、操作性と視認性の点で優れたものといえるが、部品点数が多くその構造が複雑で高価なため、広く一般に普及するまでに至っていない。
【０００９】
そこで、この発明は、以上のような従来のスイッチの問題を解消するために、１つの押釦に複数の機能表示を可能とする押釦スイッチにおいて、部品点数が少なく安価で視認性の高い押釦スイッチ用部材を提供することを課題としている。
【００１０】
【課題を解決するための手段】
かかる課題を達成するため、請求項１に係る発明では、押圧操作を受ける押釦部の表面部に、裏面側に配設される複数の光源からの光が照射されて発光する複数の機能表示部が設けられたスイッチ用部材であって、前記複数の光源から発せられた個別の光が、互いに対応関係にある前記機能表示部を照射すると共に、前記複数の機能表示部の隣り合う機能表示部同士の間に遮蔽壁を形成して、他の対応関係にない機能表示部への照射を前記遮蔽壁にて防止するようにした照射防止手段と、スイッチ機能を果たす可動接点とを、前記押釦部の底面に一体に設けた押釦スイッチ用部材において、前記遮蔽壁の先端に可動接点を設けたことを特徴としている。
【００１１】
請求項２に係る発明は、請求項１の構成に加えて、前記照射防止手段は、前記押釦部の底面部にレンズ部を設け、該レンズ部にて前記複数の光源から発せられた個別の光が、互いに対応関係にある前記機能表示部を照射し、他の対応関係にない機能表示部への照射を防止するように構成された
ことを特徴としている。
【００１２】
請求項３に係る発明では、請求項１の構成に加えて、前記照射防止手段は、前記押釦部の底面部に複数の遮光ルーバを並べて配設し、該遮光ルーバにて前記複数の光源から発せられた個別の光が、互いに対応関係にある前記機能表示部を照射し、他の対応関係にない機能表示部への照射を防止するようにしたことを特徴としている。
【００１３】
請求項４に係る発明では、請求項１の構成に加えて、前記照射防止手段は、前記押釦部の底面部に一方向のみ照射できる導光部材を埋設し、該導光部材にて前記複数の光源から発せられた個別の光が、互いに対応関係にある前記機能表示部を照射し、他の対応関係にない機能表示部への照射を防止するように構成された
ことを特徴としている。
【００１６】
【発明の実施の形態】
以下、この発明の実施の形態について図１乃至図１０によって説明する。
【００１７】
［発明の実施の形態１］
図１及び図２は、この発明に係る押釦スイッチ用部材の実施の形態１を示した押釦部の平面図であり、図１はスイッチがＯＦＦの状態を示し、図２はスイッチがＯＮの状態を示している。
【００１８】
押釦部の左側には、その押釦７の存在する位置を表示するポジションライトなどの第１機能表示部８があり、自動車等の装置自体のメインスイッチ（図示せず）が入っていれば、その押釦７に対応した機能部品のスイッチがＯＮ又はＯＦＦのいずれの状態であっても常時明かりが点灯している（図１、図２とも左側のハッチング部が光っている）。
【００１９】
押釦部の右側には、例えば自動車の場合であれば、フォグランプのような機能部品の形状を形取った図柄などの第２機能表示部９があり、その機能部品の使用中に、つまりその機能部品のスイッチがＯＮの状態では図２のように明かりが点灯し、使用していないＯＦＦの状態では図１のように明かりが消えている。
【００２０】
図３は、この発明に係る押釦スイッチ用部材の実施の形態１を示した押釦部の底面図である。
【００２１】
図４は、この発明に係る押釦スイッチ用部材の実施の形態１が使用されている押釦スイッチの中央縦断面図である。
【００２２】
本体を構成するゴム製のカバー部材１０は、押圧操作を受ける筒状の押釦部１１と、その底部に連設する台状支持部１２と、その台状支持部１２の底部周縁部より外方に延出した脚部１３とからなり、外表面には押釦部１１、台状支持部１２、脚部１３の各部を被覆する黒色の遮光層１４が形成されている。
【００２３】
押釦部１１の表面の一部には、遮光層１４を切除して文字、符号または図形などの形をした透光性の機能表示部８，９が設けられている。
【００２４】
押釦部１１の底面部１５の一部には、突出部１６が形成されており、突出部１６の先端には導電性ゴムの可動接点１７が設けられており、他方基板１８上にはこの可動接点１７に対応する固定接点２１が設けられている。
【００２５】
実施の形態１では、１つの押釦部１１の表面部に第１機能表示部８と第２機能表示部９の２つの機能表示部を有しており、押釦部１１の裏面側に配置されている基板１８上には第１機能表示部８に対応する第１光源１９と第２機能表示部９に対応する第２光源２０とが設けられている。
【００２６】
押釦部１１の底面部１５には、第１光源１９と第２光源２０との間に位置する光を通さない遮蔽壁２２を形成し、第１光源１９から発せられた光がこれと対応関係にある第１機能表示部８を照射すると共に、対応関係にない第２の機能表示部９への照射を防止するようにしている。
【００２７】
遮蔽壁２２は、さらに第２光源２０から発せられた光がこれと対応関係にある第２機能表示部９を照射すると共に、対応関係にない第１の機能表示部８への照射を防止する。
【００２８】
必要に応じて、遮蔽壁２２の先端には導電性ゴムの可動接点１７が設けられ、他方基板１８上にはこの可動接点１７に対応する固定接点２１が設けられる。
【００２９】
遮蔽壁２２は、遮光性を有する必要があり、カバー部材１０の１番外側に位置する遮光層１４と同じ材料で一体に形成するようにしている。
【００３０】
第１機能表示部８と対応する、遮光層１４の内側（光源側）には第１機能表示部８に対応させた第１着色層２４を形成し、第２機能表示部９と対応する、遮光層１４の内側（光源側）には第２機能表示部９に対応させた第２着色層２５を形成している。
【００３１】
そして、遮光層１４で形成された押釦部１１、台状支持部１２、脚部１３、遮蔽壁２２及び第１着色層２４、第２着色層２５の内側には、繰り返し操作が可能な所定の強度を保てるように透光性ゴム２３が充填されている。
【００３２】
この場合、押圧操作により押釦部１１が押し下げられても、第１光源１９と第２光源２０に押釦部１１の底面部１５が接触することのないよう、台状支持部１２には十分な空間を形成するようにしている。
【００３３】
次に、この発明の実施の形態１の作用について説明する。
【００３４】
自動車等の装置自体のメインスイッチが入っているだけで、押釦スイッチの対応する機能部品を使用していない状態では、押釦スイッチのポジションを示すための第１光源１９のみが発光する。
【００３５】
したがって、第１光源１９から発せられた光は、遮光層１４と遮蔽壁２２により遮断されるので、透光性ゴム２３の中を上方に進み第１着色層２４に達することになる。これにより、第１着色層２４の色と同じ色の光が第１機能表示部８より発せられることになる。
【００３６】
次に、押釦部１１を押し下げることにより、可動接点１７が固定接点２１に接触してそのスイッチに対応する機能部品が使用状態（ＯＮ状態）となると、ＯＮ状態を示す第２光源２０が発光する。
【００３７】
第２光源２０から発せられた光は、遮光層１４と遮蔽壁２２により遮断されるので、透光性ゴム２３の中を上方に進み第２着色層層２５に達することになる。これにより、第２着色層２５の色と同じ色の光が第２機能表示部９より発せられることになる。
【００３８】
したがって、第１光源１９から発せられた光は第１機能表示部のみを照射し、第２光源２０から発せられた光は第２機能表示部のみを照射して、第１光源１９及び第２光源２０は、互いに対応関係のない機能表示部を照射することはない。
【００３９】
なお、遮蔽壁２２は押釦部１１の底面部１５より突設して形成され、この遮蔽壁２２の先端に導電性ゴムの可動接点１７を設けることで、単独でもスイッチ機能を果たすことができるので、回路構成によっては可動接点１７を設けるために別途突出部１６を設けなくともよくなる。この場合には、成形金型も簡単な形状でより安価に製作することができる。
【００４０】
［発明の実施の形態２］
以下、この発明の実施の形態２の構成を説明する。
【００４１】
図５は、この発明に係る押釦スイッチ用部材の実施の形態２の中央縦断面図である。
【００４２】
実施の形態２では、押釦部１１の底面部１５にレンズ部２６，２７を設けている。
【００４３】
押釦部１１の第１機能表示部８の真下に当たる底面部１５に第１レンズ部２６を形成し、第２機能表示部９の真下に当たる底面部１５には第２レンズ部２７を形成している。その他の構成は、実施の形態１と同様であるため、同一の構成に同一の符号を付し、それらの説明を省略する。
【００４４】
次に、この発明の実施の形態２の作用について説明する。
【００４５】
自動車等の装置自体のメインスイッチが入っているだけで、押釦スイッチが対応する機能部品を使用していない状態では、第１光源１９のみが発光する。
【００４６】
第１光源１９から発せられた光は、周囲が遮光層１４で遮られているから第１レンズ部２５へ向かった光が真上に向かって集光されて第１機能表示部８へ達するが、第２レンズ部２６へ向かった光は反射されてしまい第２機能表示部９へ達することはない。
【００４７】
そして、押釦部１１を押し下げることにより、可動接点１７が固定接点２１に接触してそのスイッチに対応する機能部品が使用状態（ＯＮ状態）となると、ＯＮ状態を示す第２光源２０が発光する。
【００４８】
第２光源２０から発せられた光は、周囲が遮光層１４で遮られているから第２レンズ部２７へ向かった光が真上に向かって集光されて第２機能表示部９へ達するが、第１レンズ部２６へ向かった光は反射されてしまい第１機能表示部８へ達することはない。
【００４９】
したがって、第１光源１９から発せられた光は第１機能表示部のみを照射し、第２光源２０から発せられた光は第２機能表示部のみを照射して、第１光源１９及び第２光源２０は、互いに対応関係のない機能表示部を照射することはない。
【００５０】
実施の形態２にあっては、押釦部１１の底面部１５に遮蔽壁２２を形成する必要がなく、成形金型も簡単な形状で成形も容易なものとなるため、安価に製作することができる。
【００５１】
［発明の実施の形態３］
以下、この発明の実施の形態３の構成及び作用を説明する。
【００５２】
図６は、この発明に係る押釦スイッチ用部材の実施の形態３の中央縦断面図である。
【００５３】
実施の形態３は、実施の形態１と実施の形態２とを組み合わせたものであって、押釦部１１の底面部１５に、第１光源１９と第２光源２０との間に位置する光を通さない遮蔽壁２２を形成すると共に、押釦部１１の第１機能表示部８の真下に当たる底面部１５に第１レンズ部２６を形成し、第２機能表示部９の真下に当たる底面部１５には第２レンズ部２７を形成している。
【００５４】
第１レンズ部２６及び第２レンズ部２７は、それぞれ外向きの小さな凸レンズ形状を複数並べたものとしている。
【００５５】
その他の構成は、実施の形態１及び実施の形態２と同じであるため、同一の構成に同一の符号を付し、それらの説明を省略する。
【００５６】
実施の形態３にあっては、遮蔽壁２２と第１レンズ部２６及び第２レンズ部２７とにより、第１光源１９から発せられた光は第１機能表示部のみを照射し、第２光源２０から発せられた光は第２機能表示部のみを照射して、第１光源１９及び第２光源２０は、互いに対応関係のない機能表示部を照射することはないことは勿論、遮蔽壁２２による遮光性と第１レンズ部２６及び第２レンズ部２７とによる集光性の相乗効果により、機能表示部の輝度が高くなり、点灯している光源と対応関係にない機能表示部へ光が漏れることもない。そのため、一層視認性が向上するから一見してスイッチのＯＮ／ＯＦＦの状態を確認することができる。
【００５７】
［発明の実施の形態４］
以下、この発明の実施の形態４の構成を説明する。
【００５８】
図７は、この発明に係る押釦スイッチ用部材の実施の形態４の中央縦断面図である。
【００５９】
実施の形態４では、押釦部１１の底面部１５に複数の遮光ルーバ２８，２８，２８，・・・を並べて配設している。
【００６０】
図８は、この発明に係る押釦スイッチ用部材の実施の形態４を示した押釦部の底面図を示している。
【００６１】
遮光ルーバ２８，２８，２８，・・・は、図８に示したとおり、押釦部１１の底面部１５の全面に渡って垂直面に平行に平面板状のものを等間隔に配置している。その他の構成は、実施の形態１と同様であるため、同一の構成に同一の符号を付し、それらの説明を省略する。
【００６２】
次に、この発明の実施の形態４の作用について説明する。
【００６３】
自動車等の装置自体のメインスイッチが入っているだけで、押釦スイッチが対応する機能部品を使用していない状態では、第１光源１９のみが発光する。
【００６４】
第１光源１９から発せられた光は、周囲が遮光層１４で遮られているから押釦部１１の底面部１５の透光性ゴム２３に入って真上に進んで遮光ルーバ２８，２８，２８，・・・に当たらないものはそのまま第１機能表示部８に達するが、斜めに進んで遮光ルーバ２８，２８，２８，・・・に当ったものは減衰していまい第２機能表示部９に達することはない。
【００６５】
第２光源２０から発せられた光は、周囲が遮光層１４で遮られているから押釦部１１の底面部１５の透光性ゴム２３に入って真上に進んで遮光ルーバ２８，２８，２８，・・・に当たらないものはそのまま第２機能表示部９に達するが、斜めに進んで遮光ルーバ２８，２８，２８，・・・に当ったものは減衰していまい第１機能表示部８に達することはない。
【００６６】
したがって、第１光源１９から発せられた光は第１機能表示部８のみを照射し、第２光源２０から発せられた光は第２機能表示部９のみを照射して、第１光源１９及び第２光源２０は、互いに対応関係のない機能表示部を照射することはない。
【００６７】
実施の形態４にあっては、押釦部１１の底面部１５に遮蔽壁２２を形成する必要がなく、成形金型も簡単な形状でよいので安価に製作することができる。
【００６８】
［発明の実施の形態５］
以下、この発明の実施の形態５の構成及び作用を説明する。
【００６９】
図９は、この発明に係る押釦スイッチ用部材の実施の形態５の中央縦断面図である。
【００７０】
実施の形態５は、実施の形態１と実施の形態４とを組み合わせたものであって、押釦部１１の底面部１５に、第１光源１９と第２光源２０との間に位置する光を通さない遮蔽壁２２を突設して形成すると共に、遮蔽壁２２で仕切られた押釦部１１の底面部１５には、遮光ルーバ２８，２８，２８，・・・を全面に渡って垂直面に平行に平面板状のものを等間隔に配置している。
【００７１】
その他の構成は、実施の形態１及び実施の形態４と同じであるため、同一の構成に同一の符号を付し、それらの説明を省略する。
【００７２】
実施の形態５にあっては、遮蔽壁２２と遮光ルーバ２８，２８，２８，・・・とにより、第１光源１９から発せられた光は第１機能表示部８のみを照射し、第２光源２０から発せられた光は第２機能表示部９のみを照射して、第１光源１９及び第２光源２０は、互いに対応関係のない機能表示部を照射することはないことは勿論、遮蔽壁２２による遮光性と遮光ルーバ２８，２８，２８，・・・による集光性の相乗効果により、機能表示部の輝度が高くなり、点灯している光源と対応関係にない機能表示部へ光が漏れることもない。そのため、一層視認性が向上するから一見してスイッチのＯＮ／ＯＦＦの状態を確認することができる。
【００７３】
［発明の実施の形態６］
以下、この発明の実施の形態６の構成及び作用を説明する。
【００７４】
図１０は、この発明に係る押釦スイッチ用部材の実施の形態６が使用されている押釦スイッチの中央縦断面図である。
【００７５】
第１機能表示部８に対応する押釦部１１の底面部１５には、外周部を遮光被膜で覆った断面矩形の中実の透明シリコーンからなる導光部材２９が埋め込まれている。導光部材２９は、上下端のみ遮光被膜がなく外周部が遮光被膜で覆われているため、下端から入った光は上端へ出ていき、上端から入った光は下端へ出ていくといった光の通路を形成するものである。
【００７６】
実施の形態６にあっては、導光部材２９を第１機能表示部８に対応する押釦部１１の底面部１５に埋め込んでいるが、第２機能表示部９に埋め込んでもよいことは勿論である。つまり、輝度を高くしたい機能表示部に対応する押釦部１１の底面部１５に導光部材２９を埋め込むようにすればよい。
【００７７】
その他の構成は、実施の形態１と同じであるため、同一の構成に同一の符号を付し、それらの説明を省略する。
【００７８】
実施の形態６にあっては、遮蔽壁２２と導光部材２９とにより、第１光源１９から発せられた光は第１機能表示部８のみを照射し、第２光源２０から発せられた光は第２機能表示部９のみを照射して、第１光源１９及び第２光源２０は、互いに対応関係のない機能表示部を照射することはないことは勿論、遮蔽壁２２による遮光性と導光部材２９による集光性の相乗効果により、機能表示部の輝度が高くなり、点灯している光源と対応関係にない機能表示部へ光が漏れることもない。そのため、一層視認性が向上するから一見してスイッチのＯＮ／ＯＦＦの状態を確認することができる。
【００７９】
【実施例】
以下、この発明に係る押釦スイッチ用部材の製造に関する具体的な実施例について説明する。
【００８０】
［実施例１］
この発明の実施の形態１に係る押釦スイッチ用部材にあっては、以下のような方法によって製造することができる。
【００８１】
液状シリコーンゴムＫＥ−１９８０（信越化学工業（株）製）を１００材料部数に、シリコーン顔料ＢＫ−２（信越化学工業（株）製）を０．２材料部数添加し、真空ブレンダーにて１０分間撹拌することで、カバー部材１０の表面に使用する黒色の遮光層１４の原材料を得た。
【００８２】
同様にして、液状シリコーンゴムＫＥ−１９８０（信越化学工業（株）製）にポジショニングライト部又は文字照光部などの機能表示部８，９に使用するそれぞれの所望の色調を有する顔料を添加撹拌することにより、着色層２４，２５用のシリコーン原材料を得た。
【００８３】
成型にあっては、まず、表面の黒色の遮光層１４と押釦部１１内を２つの部屋に分割遮光するための仕切り部分を形成するために、黒色の液状シリコーンゴムを金型に表面層０．０５ｍｍ厚になる量を射出し、４０秒間１５０Ｐａの圧力で１５０℃の温度を保持することにより、表面の黒色の遮光層１４を形成する成型品を得た。
【００８４】
このとき、成型品を押釦部１１の表面側の金型に安定して残し、雄側（コア側）のみを離型するために、雄側金型（コア側）の表面にはテフロン加工の離型処理加工を行い、１．０度以上の抜き勾配を施しておくと共に、雌側金型の表面には８０＃のショットブラスト加工を施し、雄側金型（コア側）の表面には１４０＃のショットブラスト加工を施すことで、雄型と雌型の表面荒さを変えるようにするとよい。
【００８５】
ここで得られた表面層成形物の２つの仕切られた凹みの底面部に、予め用意しておいた着色用液状シリコーンを厚さ０．１ｍｍになるように１５０Ｐａの圧力で３０秒間１５０℃の条件で射出する。
【００８６】
これにより、表面層形成時同様に、雄側（コア側）の金型のみを離型しポジショニングライト部又は文字照光部などの着色層２４，２５が付与された表面成形物を得た。
【００８７】
次に、押釦部１１の裏面全体を所望の形状に成形するために、着色顔料を配合していない透明液状シリコーンゴムを射出し、８０秒間１５０Ｐａの圧力で１８０℃の温度を保持することにより、カバー部材１０としての製品形状を得た。
【００８８】
そして、押釦部１１の表面の所定箇所には、遮光層１４をレーザを照射することにより切除して所望のポジショニングライト部等の第１機能表示部８と文字や図柄等の第２機能表示部９を形成した。
【００８９】
また、突出部１６又は遮蔽壁２２の先端部に導電性カーボンインクをシルクスクリーン法にて可動接点１７を形成し、溶剤を赤外線温風乾燥炉で取り除き硬化することにより、押釦スイッチ用部材を得た。
【００９０】
なお、ポジショニングライト部又は文字照光部などの着色層２４，２５として着色用液状シリコーンに変えて、０．５μの透明層と０．０５μの黒色層を平面視において交互に積層した縞模様を呈する積層シリコーンゴム膜を採用することも考えられる。この場合には、黒色層がルーバーとして作用し、ポジショニングライト部等の第１機能表示部８と文字や図柄等の第２機能表示部の輝度を一層増加することができる。
【００９１】
［実施例２］
また、この発明の実施の形態６に係る押釦スイッチ用部材にあっては、以下のような方法によって製造することができる。
【００９２】
導光部材２９にあっては、押出成形によって断面一様な中実の透明シリコーン角柱の外周部に黒色シリコーンで被覆した成型物を得る。
【００９３】
原料は、信越化学工業（株）製のシリコーンＫＥ１６４−Ｕを１００材料部数に、所望の色調の顔料としてＣ−２（信越化学工業（株）製）を０．２材料部数配合して成型物を得る。ここで、導入部材２９の大きさは、押釦の断面寸法を２０ｍｍ×４５ｍｍとした場合に、１５ｍｍ×５ｍｍ程度の断面寸法とする。
【００９４】
押釦形状のシリコーン成型物のポジショニングライト部に当たる押釦部１１の底面部１５に設けた穴に、先に成型した導光部材２９である成型物を所定の長さに切断しインサートする。この際、透明度の高いＲＴＶ接着剤ＫＥ４５Ｔ（信越化学工業（株）製）を５ｍｇ程度塗布しておくとよい。
【００９５】
一般のシリコーン成型品と同様に、東レダウコーニング（社）製のシリコーンＤＹ−３２−６０１４を１００材料部数に、加硫剤として信越化学工業（株）製のＣ−８を０．５材料部数を混練し、所定の寸法にシーティング、裁断してから加圧成型金型にて圧力１５０Ｐａ、温度１８０℃、成型時間３分の条件で押釦形状のシリコーン成型物を得る。
【００９６】
その他の工程は、実施例１と同様であるため、その説明を省略する。
【００９７】
【発明の効果】
上記説明してきたように、各請求項に記載された発明によれば、１つの押釦に複数の機能表示を可能とする押釦スイッチにおいて、複数の光源から発せられた個別の光は、互いに対応関係にある前記機能表示部を照射すると共に、他の対応関係にない機能表示部への照射を防止できるため、小さな空間を有効に利用することで多機能で小型なスイッチを実現し、構造的に部品点数が少なく安価で視認性の高い押釦スイッチ用部材を提供することができる。また、照射防止手段として遮蔽壁を形成するのに、特別な材料を用意することなく、表面部材である遮光材と同じ材料で成形が可能となるため製作も容易なものとなる。さらに、押釦部の底面部より突設した遮蔽壁の先端に可動接点を設けたため、可動接点を設けるために別途突出部を押釦部の底面部に設けなくともよいので、成形金型も簡単な形状でよく安価に製作することができる。
【００９８】
請求項２に記載の発明によれば、請求項１の効果に加え、レンズ部が照射防止手段として作用するため、押釦部の底面部に遮蔽壁を形成する必要がなく、成形金型も簡単な形状で成形も容易なものとなるため、安価に製作することができる。
【００９９】
請求項３に記載の発明によれば、請求項１の効果に加え、遮蔽ルーバが照射防止手段として作用するため、押釦部の底面部に遮蔽壁を形成する必要がなく、成形金型も簡単な形状でよいので安価に製作することができる。
【０１００】
請求項４に記載の発明によれば、請求項１の効果に加え、遮蔽壁による遮光性と導光部材の集光性との相乗効果により機能表示部の輝度が増し、視認性が一層向上する。
【図面の簡単な説明】
【図１】この発明に係る押釦スイッチ用部材の実施の形態１を示した、スイッチがＯＦＦの状態の押釦部の平面図である。
【図２】この発明に係る押釦スイッチ用部材の実施の形態１を示した、スイッチがＯＮの状態の押釦部の平面図である。
【図３】この発明に係る押釦スイッチ用部材の実施の形態１を示した押釦部の底面図である。
【図４】この発明に係る押釦スイッチ用部材の実施の形態１が使用されている押釦スイッチの中央縦断面図である。
【図５】この発明に係る押釦スイッチ用部材の実施の形態２の中央縦断面図である。
【図６】この発明に係る押釦スイッチ用部材の実施の形態３の中央縦断面図である。
【図７】この発明に係る押釦スイッチ用部材の実施の形態３を示した押釦部の底面図である。
【図８】この発明に係る押釦スイッチ用部材の実施の形態４の中央縦断面図である。
【図９】この発明に係る押釦スイッチ用部材の実施の形態５の中央縦断面図である。
【図１０】この発明に係る押釦スイッチ用部材の実施の形態６の中央縦断面図である。
【図１１】従来のスイッチの内部に独立した遮蔽部を有する押釦スイッチの要部縦断面図である。
【符号の説明】
８  第１機能表示部
９  第２機能表示部
１０  カバー部材
１１  押釦部
１７  可動接点
１９  第１光源
２０  第２光源
２２  遮蔽壁
【図１】
0004298115.tif 000002
【図２】
0004298115.tif 000003
【図３】
0004298115.tif 000004
【図４】
0004298115.tif 000005
【図５】
0004298115.tif 000006
【図６】
0004298115.tif 000007
【図７】
0004298115.tif 000008
【図８】
0004298115.tif 000009
【図９】
0004298115.tif 000010
【図１０】
0004298115.tif 000011
【図１１】
0004298115.tif 000012